(57)【要約】【課題】組み立ての際に板ばねが塑性変形してしまうのを抑制或いは防止できるように構成されたレンズ駆動装置を提供すること。【解決手段】レンズ駆動装置１０１は、レンズ保持部材２と、レンズ保持部材２に保持されたコイル３と、コイル３に対向する磁石５と、レンズ保持部材２を光軸方向ＪＤへ移動可能に支持する上側板ばね１６と、を備えている。上側板ばね１６は、スペーサ部材１に固定される外側部分１６ｅと、レンズ保持部材２に固定される内側部分１６ｉと、外側部分１６ｅと内側部分１６ｉとの間に設けられた弾性腕部１６ｇと、を有する。上側板ばね１６は、スペーサ部材１と天井部４Ｂとの間に配置され、外側部分１６ｅは、天井部４Ｂと対向しているスペーサ部材１の上面に固定される。【選択図】図１６
2020046538.tif 000002
【特許請求の範囲】
【請求項１】
カバー部材を含む固定側部材と、
前記カバー部材内に位置してレンズ体を保持可能なレンズ保持部材と、
前記レンズ保持部材に保持されたコイルと、
前記コイルに対向する磁石と、
前記固定側部材に固定される固定側支持部、前記レンズ保持部材に固定される可動側支持部、及び、前記固定側支持部と前記可動側支持部との間に設けられた弾性腕部を有し、前記レンズ保持部材を光軸方向へ移動可能に支持する板ばねと、を備えたレンズ駆動装置であって、
前記カバー部材は、側板部及び天井部を有し、
前記固定側部材は、前記カバー部材の前記天井部に一部が当接するスペーサ部材を含み、
前記板ばねは、前記スペーサ部材と前記天井部との間に配置されており、
前記固定側支持部は、前記スペーサ部材の、前記天井部と対向する上面側に固定されていることを特徴とするレンズ駆動装置。
【請求項２】
前記スペーサ部材の上面側には、載置部が設けられており、
前記固定側支持部は、前記載置部に載置されて固定されており、
前記弾性腕部は、前記スペーサ部材と当接していない、
請求項１に記載のレンズ駆動装置。
【請求項３】
前記スペーサ部材には、前記固定側支持部に形成された貫通部に挿通される突設部が設けられている、
請求項１又は２に記載のレンズ駆動装置。
【請求項４】
前記固定側支持部には、前記貫通部に隣り合う別の貫通部が形成されており、
前記別の貫通部は、前記突設部に付着する接着剤が塗布されるように構成されている、
請求項３に記載のレンズ駆動装置。
【請求項５】
前記スペーサ部材には、先端面が前記突設部よりも高い位置に存在する支持突部が設けられており、
前記支持突部は、前記カバー部材の前記天井部に当接している、
請求項３又は４に記載のレンズ駆動装置。
【請求項６】
前記磁石は、前記スペーサ部材と接触して前記スペーサ部材の下側に配置されるとともに、接着剤によって前記カバー部材の前記側板部に固定されている、
請求項１乃至５の何れかに記載のレンズ駆動装置。
【請求項７】
前記弾性腕部の少なくとも一部は、光軸方向において、間隔を空けて前記磁石と重なるように配置されている、
請求項１乃至６の何れかに記載のレンズ駆動装置。
【請求項８】
前記カバー部材は、平面視において矩形状に形成されており、
前記スペーサ部材は、枠形状をなしているとともに、角部分には下方に突出する突出部が形成されており、
前記磁石は、板状であり、２つの前記突出部の間に配置されている、
請求項１乃至７の何れかに記載のレンズ駆動装置。
【請求項９】
カバー部材を含む固定側部材と、
前記カバー部材内に位置してレンズ体を保持可能なレンズ保持部材と、
前記レンズ保持部材に保持されたコイルと、
前記コイルに対向する磁石と、
前記固定側部材に固定される固定側支持部、前記レンズ保持部材に固定される可動側支持部、及び、前記固定側支持部と前記可動側支持部との間に設けられた弾性腕部を有し、前記レンズ保持部材を光軸方向へ移動可能に支持する板ばねと、を備えたレンズ駆動装置の製造方法において、
前記カバー部材は、側板部及び天井部を有し、
前記固定側部材は、前記カバー部材の前記天井部に対向して配置されるスペーサ部材を含み、
前記製造方法は、
前記板ばねの前記固定側支持部を前記スペーサ部材に固定する固定工程と、
前記板ばねが前記天井部と対向するように、前記板ばねが固定された状態の前記スペーサ部材を前記カバー部材の内部に挿入する挿入工程と、
前記磁石を前記スペーサ部材の下側に挿入して前記スペーサ部材を前記天井部と前記磁石とで挟持する挟持工程と、
前記磁石と前記側板部とに付着するように接着剤を塗布して、前記磁石を前記カバー部材に接着固定する接着工程と、
を有するレンズ駆動装置の製造方法。
【請求項１０】
前記固定工程は、前記スペーサ部材に形成された突設部を、前記固定側支持部に形成された貫通部に挿通して、前記突設部に接着剤を塗布する工程を含む、
請求項９に記載のレンズ駆動装置の製造方法。
【請求項１１】
前記挿入工程と前記挟持工程との間に、前記スペーサ部材と前記カバー部材との間に接着剤を介在させる工程を含む、
請求項９又は１０に記載のレンズ駆動装置の製造方法。
【請求項１２】
請求項１乃至８の何れかに記載のレンズ駆動装置と、
前記レンズ体と、
前記レンズ体に対向する撮像素子と、を有する、
カメラモジュール。
【発明の詳細な説明】
【技術分野】
【０００１】
本開示は、カメラ付き携帯機器等に搭載されるレンズ駆動装置、レンズ駆動装置を含むカメラモジュール、及び、レンズ駆動装置の製造方法に関する。
【背景技術】
【０００２】
従来、カバー部材としてのヨークと、レンズ保持部材と、レンズ保持部材の外周に配置されるコイルと、コイルと対向するように配置された磁石と、レンズ保持部材を光軸方向に移動可能に支持する板ばねとを含むレンズ駆動装置が知られている（特許文献１参照。）。このレンズ駆動装置では、板ばねは、レンズ保持部材の撮像素子側に固定される下側板ばねと、レンズ保持部材の被写体側に固定される上側板ばねと、を含む。上側板ばねは、レンズ保持部材に固定される内側部分と、カバー部材に接するスペーサ部材に取り付けられる外側部分と、内側部分と外側部分との間に設けられた弾性腕部と、を含む。そして、外側部分は、スペーサ部材と磁石とで挟持されるように構成されている。また、スペーサ部材は、カバー部材の天井面に接するように配置されている。
【先行技術文献】
【特許文献】
【０００３】
【特許文献１】国際公開第２００９／０６３６４１号
【発明の概要】
【発明が解決しようとする課題】
【０００４】
上述のレンズ駆動装置では、上側板ばねは、逆さまに置かれたヨークの天井部にスペーサ部材が載置された後で、そのスペーサ部材の上に単独で取り付けられる。そのため、上側板ばねは、スペーサ部材に取り付けられる際にヨークの内壁等に接触して塑性変形してしまうおそれがある。
【０００５】
そこで、組み立ての際に板ばねが塑性変形してしまうのを抑制或いは防止できるように構成されたレンズ駆動装置を提供することが望ましい。
【課題を解決するための手段】
【０００６】
本発明の実施形態に係るレンズ駆動装置は、カバー部材を含む固定側部材と、前記カバー部材内に位置してレンズ体を保持可能なレンズ保持部材と、前記レンズ保持部材に保持されたコイルと、前記コイルに対向する磁石と、前記固定側部材に固定される固定側支持部、前記レンズ保持部材に固定される可動側支持部、及び、前記固定側支持部と前記可動側支持部との間に設けられた弾性腕部を有し、前記レンズ保持部材を光軸方向へ移動可能に支持する板ばねと、を備えたレンズ駆動装置であって、前記カバー部材は、側板部及び天井部を有し、前記固定側部材は、前記カバー部材の前記天井部に一部が当接するスペーサ部材を含み、前記板ばねは、前記スペーサ部材と前記天井部との間に配置されており、前記固定側支持部は、前記スペーサ部材の、前記天井部と対向する上面側に固定されている。
【発明の効果】
【０００７】
上述の手段により、組み立ての際に板ばねが塑性変形してしまうのを抑制或いは防止できるように構成されたレンズ駆動装置が提供される。
【図面の簡単な説明】
【０００８】
【図１】レンズ駆動装置の分解斜視図である。
【図２】レンズ駆動装置の上方斜視図及び正面図である。
【図３】レンズ駆動装置の上面図及び底面図である。
【図４】カバー部材が省略された状態にあるレンズ駆動装置の上方斜視図及び正面図である。
【図５】レンズ保持部材の上方斜視図である。
【図６】レンズ保持部材の下方斜視図である。
【図７】レンズ保持部材の上面図である。
【図８】レンズ保持部材の下方斜視図である。
【図９】レンズ保持部材の一部の拡大図である。
【図１０】一部の部材が省略された状態にあるレンズ駆動装置の底面図である。
【図１１】上側板ばね及び下側板ばねの上面図である。
【図１２】レンズ駆動装置における板ばねとコイルとの接続構造を説明する図である。
【図１３】レンズ駆動装置のベース部材の上方斜視図である。
【図１４】スペーサ部材の上面側の斜視図である。
【図１５】スペーサ部材の底面側の斜視図である。
【図１６】ヨーク、スペーサ部材、上側板ばね及び磁石の断面図である。
【図１７】ヨーク、スペーサ部材、上側板ばね及び磁石の断面図である。
【図１８】スペーサ部材に取り付けられた上側板ばねの角部分の拡大図である。
【図１９】レンズ保持部材のコイル支持部の拡大斜視図である。
【図２０】レンズ保持部材のコイル支持部の拡大上面図である。
【発明を実施するための形態】
【０００９】
以下、本発明の実施形態に係るレンズ駆動装置１０１について図面を参照して説明する。図１は、レンズ駆動装置１０１の分解斜視図である。図２（Ａ）は、レンズ駆動装置１０１の上方斜視図であり、図２（Ｂ）は、Ｙ２側から見たレンズ駆動装置１０１の正面図である。図３（Ａ）は、レンズ駆動装置１０１の上面図であり、図３（Ｂ）は、レンズ駆動装置１０１の底面図である。図４（Ａ）は、カバー部材としてのヨーク４を省略した状態のレンズ駆動装置１０１の上方斜視図であり、図２（Ａ）に対応する。図４（Ｂ）は、ヨーク４を省略した状態のレンズ駆動装置１０１の正面図であり、図２（Ｂ）に対応する。
【００１０】
レンズ駆動装置１０１は、図１に示すように、レンズ体（図示せず。）を保持可能なレンズ保持部材２と、レンズ保持部材２をレンズ体に関する光軸方向ＪＤ（Ｚ軸方向）に沿って移動させる駆動機構ＭＫと、レンズ保持部材２を光軸方向ＪＤに移動可能に支持する板ばね６と、板ばね６が固定される固定側部材ＲＧと、外部との電気的な接続をもたらす端子７とを含む。レンズ体は、例えば、少なくとも１枚のレンズを備えた筒状のレンズバレルであり、その中心軸線が光軸方向ＪＤに沿うように構成されている。光軸方向ＪＤは、レンズ体に関する光軸の方向、及び、光軸に平行な方向を含む。
【００１１】
駆動機構ＭＫは、図１に示すように、八角環状に巻かれたコイル３と、矩形箱状の外側ケースを兼ねたヨーク４と、コイル３の四辺と対向して配置された４つの磁石５とを含む。磁石５は、第１磁石５Ａ〜第４磁石５Ｄを含む。固定側部材ＲＧは、スペーサ部材１と、ヨーク４と、端子７が埋め込まれたベース部材１８とを含む。板ばね６は、レンズ保持部材２とヨーク４との間に配置される上側板ばね１６と、レンズ保持部材２とベース部材１８との間に配置される下側板ばね２６と、を含む。下側板ばね２６は、下側板ばね２６Ａ及び下側板ばね２６Ｂを含む。
【００１２】
レンズ駆動装置１０１は、略直方体形状を有し、撮像素子（図示せず。）を実装した基板（図示せず。）の上に取り付けられる。基板と、レンズ駆動装置１０１と、レンズ保持部材２に装着されたレンズ体と、レンズ体に対向するように基板に実装された撮像素子とはカメラモジュールを構成する。コイル３は、下側板ばね２６Ａ、２６Ｂ、端子７及び基板を介して電源に接続される。コイル３に電流が流れると、駆動機構ＭＫは、光軸方向ＪＤに沿った電磁力を発生させる。
【００１３】
レンズ駆動装置１０１は、この電磁力を利用し、撮像素子のＺ１側（被写体側）で、光軸方向ＪＤに沿ってレンズ保持部材２を移動させることで自動焦点調節機能を実現する。具体的には、レンズ駆動装置１０１は、撮像素子から離れる方向にレンズ保持部材２を移動させてマクロ撮影を可能にし、撮像素子に近づく方向にレンズ保持部材２を移動させて無限遠撮影を可能にしている。
【００１４】
次に、レンズ保持部材２と駆動機構ＭＫについて説明する。図５（Ａ）は、レンズ保持部材２の上方斜視図であり、図５（Ｂ）は、図５（Ａ）のレンズ保持部材２にコイル３が巻かれた状態を示す上方斜視図である。図６（Ａ）は、レンズ保持部材２の下方斜視図であり、図６（Ｂ）は、図６（Ａ）のレンズ保持部材２にコイル３が巻かれた状態を示す下方斜視図である。図７（Ａ）は、レンズ保持部材２の上面図であり、図７（Ｂ）は、図７（Ａ）のレンズ保持部材２にコイル３が巻かれた状態を示す上面図である。図８（Ａ）は、レンズ保持部材２の下方斜視図であり、図８（Ｂ）は、図８（Ａ）に示すレンズ保持部材２にコイル３が巻かれた状態を示す下方斜視図である。図９（Ａ）は、図８（Ｂ）に示す部分Ｑの拡大図であり、図９（Ｂ）は、図６（Ｂ）に示す部分Ｐの拡大図である。図１０（Ａ）は、端子７及びベース部材１８が省略された状態のレンズ駆動装置１０１の底面図であり、図１０（Ｂ）は、更に下側板ばね２６Ａ、下側板ばね２６Ｂ及びレンズ保持部材２が省略された状態のレンズ駆動装置１０１の底面図である。
【００１５】
本実施形態では、レンズ保持部材２は、液晶ポリマー（ＬＣＰ）等の合成樹脂を射出成形することで作製されている。具体的には、レンズ保持部材２は、図５（Ａ）に示すように、光軸方向ＪＤに沿って貫通されるように形成された筒状部１２と、光軸方向ＪＤにおける撮像素子側（Ｚ２側）に形成されたフランジ部（鍔部）５２とを含む。筒状部１２は、光軸方向ＪＤにおける被写体側（Ｚ１側）においては、円筒状に形成されている。
【００１６】
筒状部１２には、レンズ体が装着されるように、円筒状の内周面にねじ溝が設けられている。また、筒状部１２には、被写体側の端面に２つの窪み１２ｄｈを有した台座部１２ｄが光軸を挟んで２箇所に設けられている。台座部１２ｄには、図４（Ａ）に示すように、上側板ばね１６の内側部分１６ｉが載置される。
【００１７】
筒状部１２の外周面には、図５（Ａ）に示すように、コイル３を内側から支持する外壁部としてのコイル支持部１２ｊが設けられている。本実施形態では、コイル支持部１２ｊは、八角環状のコイル３を支持できるよう、上面視で八角形状の外形を有する。そして、図５（Ｂ）に示すように、コイル３は、コイル支持部１２ｊの外周面に支持されるようにしてレンズ保持部材２の外周面側に八角環状に巻かれている。
【００１８】
フランジ部５２は、筒状部１２の撮像素子側（Ｚ２側）の端部における外周面から径方向外側に突出している。フランジ部５２の被写体側にはコイル３が配置されている。フランジ部５２には、図６（Ｂ）に示すように、レンズ体の光軸を挟んで切欠部５２ｋが２つ形成されている。そして、切欠部５２ｋにはコイル３を構成する線材である延在部３３が通されている。具体的には、切欠部５２ｋの一方にはコイル３の巻き始め側の線材である延在部３３Ａが通され、切欠部５２ｋの他方にはコイル３の巻き終わり側の線材である延在部３３Ｂが通されている。切欠部５２ｋを形成するフランジ部５２の縁部は、湾曲するように構成されている。縁部と接するコイル３の線材が断線するのを防止し或いは抑制するためである。
【００１９】
フランジ部５２は、図６（Ａ）に示すように、撮像素子側（Ｚ２側）の面から下方（Ｚ２方向）に突出した、角形凸状の突出部としての２つの保持部７２と、丸形凸状の６つの突設部２ｔと、３つの壁部（内側壁部８２ｕ、外側壁部８２ｖ、側壁部８２ｗ）で形成された２つの突堤部８２とを含む。
【００２０】
保持部７２は、図６（Ｂ）に示すように、コイル３（巻回部１３）の巻き始め側に対応する保持部７２Ａと、コイル３の巻き終わり側に対応する保持部７２Ｂを含む。コイル３の両端は、保持部７２に巻き付けられて保持されている。
【００２１】
突設部２ｔは、図６（Ａ）及び図１０（Ａ）に示すように、下側板ばね２６Ａに対応する３つの突設部２ｔと、下側板ばね２６Ｂに対応する３つ突設部２ｔとを含む。突設部２ｔには、下側板ばね２６Ａ及び下側板ばね２６Ｂのそれぞれの可動側支持部としての内側部分２６ｉが装着されて固定されている。下側板ばね２６Ａ及び下側板ばね２６Ｂのそれぞれの内側部分２６ｉの固定は、内側部分２６ｉに形成された貫通部としての貫通孔に挿通された突設部２ｔを熱かしめすることによって実現される。貫通部は、切り欠きであってもよい。図６〜図１０では、突設部２ｔは、熱かしめされた後の先端が変形した状態で図示されている。
【００２２】
突堤部８２は、図６（Ａ）に示すように、レンズ保持部材２の中心側に位置する内側壁部８２ｕと、内側壁部８２ｕと対向して外側に位置する外側壁部８２ｖと、保持部７２に近い側で内側壁部８２ｕと外側壁部８２ｖとの間に位置する側壁部８２ｗとを含む。保持部７２から遠い突堤部８２の側には、図９（Ａ）に示すように、壁部が切り欠かれた開放部８２ｚが形成されている。そして、３つの壁部（内側壁部８２ｕ、外側壁部８２ｖ、側壁部８２ｗ）で囲われた空間が収容部８２ｓを形成している。収容部８２ｓは、コイル３の延在部３３Ａ、３３Ｂと下側板ばね２６Ａ、２６Ｂとを接続する導電性接着剤を収容できるように構成されている。本実施形態では、突堤部８２が保持部７２と隣り合う位置に形成されているので、保持部７２の側壁は、突堤部８２の側壁部８２ｗとして好適に利用されている。したがって、保持部７２と隣り合う位置に収容部８２ｓが設けられている。
【００２３】
次に、レンズ駆動装置１０１の駆動機構ＭＫについて説明する。駆動機構ＭＫは、図１０（Ｂ）に示すように、コイル３と、ヨーク４と、ヨーク４の四辺のそれぞれと対向するように配置された４つの磁石５とを含む。そして、駆動機構ＭＫは、コイル３に流れる電流と磁石５が発生する磁界とで駆動力（推力）を発生させ、レンズ保持部材２を光軸方向ＪＤに沿って上下に移動させる。
【００２４】
コイル３は、図６（Ｂ）に示すように、レンズ保持部材２の外周に導電性の線材を巻回して形成されている。コイル３は、八角環状に巻かれて形成されたコイル本体部としての巻回部１３と、巻回部１３から延びて保持部７２に巻き付けられる延在部３３とを含む。図６（Ｂ）は、明瞭化のため、巻回部１３に関しては、絶縁部材で表面を被覆された導電性の線材の詳細な巻回状態の図示を省略している。巻回部１３を図示する他の図についても同様である。なお、巻回部１３は、レンズ保持部材２に直接巻き付けられることで形成されてもよく、空芯コイルとして形成された後でレンズ保持部材２に取り付けられてもよい。
【００２５】
延在部３３は、コイル３の巻き始め側で巻回部１３の内周側に位置する巻回部１３の端部（巻き始め部分）に繋がっている延在部３３Ａと、コイル３の巻き終わり側で巻回部１３の外周側に位置する巻回部１３の端部（巻き終わり部分）に繋がっている延在部３３Ｂとを含む。
【００２６】
具体的には、延在部３３Ａは、図９（Ａ）に示すように、保持部７２Ａに巻き付けられる巻き付け部３３ｍと、収容部８２ｓの内底面（Ｚ２側の面）と対向して延びる接続部３３ｃと、切欠部５２ｋに挿通されてフランジ部５２の撮像素子側（Ｚ２側）から被写体側（Ｚ１側）に延びる挿通部３３ｋとを含む。延在部３３Ｂは、図９（Ｂ）に示すように、保持部７２Ｂに巻き付けられる巻き付け部３３ｍと、収容部８２ｓの内底面（Ｚ２側の面）と対向して延びる接続部３３ｃと、切欠部５２ｋに挿通されてフランジ部５２の撮像素子側（Ｚ２側）から被写体側（Ｚ１側）に延びる挿通部３３ｋとを含む。
【００２７】
本実施形態では、延在部３３Ａは、コイル３の線材がレンズ保持部材２の外周に巻き付けられる前に、レンズ保持部材２の保持部７２Ａに巻き付けられる。図９（Ａ）に示す例では、コイル３の線材の一部が保持部７２Ａに３ターン巻き付けられている。これにより、巻き付け部３３ｍが保持部７２Ａに形成され、延在部３３Ａの一部が保持部７２Ａに保持される。但し、延在部３３Ａは、コイル３の線材がレンズ保持部材２の外周に巻き付けられた後で、保持部７２Ａに巻き付けられてもよい。
【００２８】
次に、レンズ保持部材２の外周に線材が巻き付けられる。その際には、図９（Ａ）に示すように、巻き付け部３３ｍから延びる線材は、収容部８２ｓの内底面と対向するように延び、且つ、壁部が切り欠かれた開放部８２ｚを通る。そして、線材は、フランジ部５２の下側から切欠部５２ｋを通ってフランジ部５２の上側に延びる。このとき、収容部８２ｓの内底面と対向する部分が延在部３３Ａの接続部３３ｃを構成し、切欠部５２ｋを通る部分が延在部３３Ａの挿通部３３ｋを構成する。
【００２９】
延在部３３Ａの挿通部３３ｋは、フランジ部５２の下側から上側に延びる際、図９（Ａ）に示すように、フランジ部５２の縁部に接するように構成されている。そのため、落下等により強い衝撃がレンズ駆動装置１０１に加えられた際には、コイル３の延在部３３Ａはフランジ部５２の縁部に押し付けられる。本実施形態では、フランジ部５２の縁部は湾曲するように構成されている。そのため、延在部３３Ａは、フランジ部５２の縁部で切断され難い。延在部３３Ｂと接するフランジ部５２の縁部も湾曲するように構成されていてもよい。
【００３０】
レンズ保持部材２の外周に巻回されたコイル３の巻回部１３は、図５（Ｂ）に示すように、レンズ保持部材２の周囲を囲む位置に配置されている。また、巻回部１３は、コイル支持部１２ｊ（図５（Ａ）参照。）により内側から支持された状態で、フランジ部５２の被写体側に固定されている。また、巻回部１３の内周面がコイル支持部１２ｊにより等方的にバランス良く支持されるため、巻回部１３は、コイル３の中心軸とレンズ保持部材２の中心軸とが一致した状態で、レンズ保持部材２に保持される。したがって、レンズ保持部材２に保持されたレンズ体の光軸は、レンズ保持部材２及びコイル３のそれぞれの中心軸と容易に一致するように構成されている。
【００３１】
レンズ保持部材２の外周への線材の巻き付けが終了すると、巻回部１３の巻き終わり側の端部に繋がる延在部３３Ｂは、図９（Ｂ）に示すように、フランジ部５２の被写体側から切欠部５２ｋを介してフランジ部５２の撮像素子側に引き出される。具体的には、挿通部３３ｋが切欠部５２ｋを通過し、接続部３３ｃが突堤部８２の開放部８２ｚを通過するとともに収容部８２ｓの内底面と対向して延び、巻き付け部３３ｍがレンズ保持部材２の保持部７２Ｂに巻き付けられる。図９（Ｂ）に示す例では、延在部３３Ｂは、保持部７２Ｂに３ターン巻き付けられている。
【００３２】
突堤部８２には、保持部７２Ｂから遠い側に、壁部が切り欠かれた開放部８２ｚが形成されている。延在部３３Ｂの接続部３３ｃは開放部８２ｚを通って延びる。この構成により、突堤部８２と延在部３３Ｂとの干渉が回避され、レンズ保持部材２と下側板ばね２６Ｂとの間隔の増大が回避され、レンズ駆動装置１０１の寸法が光軸方向ＪＤにおいて大きくなるのが抑制され得る。
【００３３】
次に、駆動機構ＭＫを構成するヨーク４について説明する。本実施形態では、カバー部材としてのヨーク４は、鉄等の軟磁性体材料で形成された板材に抜き加工及び絞り加工を施して作製されている。具体的には、図１に示すように、収納部４ｓを定める箱状の外形を有する。そして、ヨーク４は、矩形環状の側板部４Ａと、側板部４Ａの上端（Ｚ１側の端）と連続するように設けられた平板状の天井部４Ｂとを有する。このように構成されたヨーク４は、図１０（Ｂ）に示すように、コイル３及び磁石５を収納部４ｓに収容し、且つ、図２に示すように、ベース部材１８に結合されてベース部材１８とともに筐体を構成する。但し、ヨーク４は、オーステナイト系ステンレス鋼等の非磁性体で形成されたカバー部材としてもよい。
【００３４】
次に、駆動機構ＭＫを構成する磁石５について説明する。磁石５は、図１に示すように直方体形状を有する。そして、４つの磁石５は、図１０（Ｂ）に示すように、コイル３の外側に位置するとともに、ヨーク４を構成する矩形環状の側板部４Ａの四辺のそれぞれに沿うように配置されている。そして、接着剤により、ヨーク４に固定されている。また、磁石５は、例えば、内側がＮ極、外側がＳ極となるように配置されている。
【００３５】
次に、板ばね６及び固定側部材ＲＧについて説明する。図１１は、板ばね６を説明する図である。図１１（Ａ）は、上側板ばね１６の上面図であり、図１１（Ｂ）は、下側板ばね２６Ａ及び下側板ばね２６Ｂの上面図である。図１２は、下側板ばね２６Ａとコイル３との接続構造の一例を説明する図である。具体的には、図１２（Ａ）は、図１０（Ａ）に示す部分Ｒの拡大図であり、図１２（Ｂ）は、図１０（Ａ）に示す部分ＲをＸ２側から見たときの下側板ばね２６Ａ、コイル３及びレンズ保持部材２の拡大図である。なお、図１２（Ａ）及び図１２（Ｂ）では、説明を分かり易くするため、導電性接着剤ＣＡがクロスハッチングで示されている。図１３は、固定側部材ＲＧとしてのベース部材１８を説明する図である。具体的には、図１３（Ａ）は、ベース部材１８の上方斜視図であり、図１３（Ｂ）は、ベース部材１８に下側板ばね２６Ａ及び下側板ばね２６Ｂを組み付けた状態の上方斜視図である。
【００３６】
板ばね６は、銅合金を主な材料とした金属板から作製されている。板ばね６は、図１に示すように、レンズ保持部材２とヨーク４との間に配置される上側板ばね１６と、レンズ保持部材２とベース部材１８との間に配置される下側板ばね２６Ａ及び下側板ばね２６Ｂとを含む。レンズ保持部材２と板ばね６（上側板ばね１６、下側板ばね２６Ａ及び下側板ばね２６Ｂ）のそれぞれとが係合された状態で、板ばね６は、レンズ保持部材２が光軸方向ＪＤ（Ｚ軸方向）へ移動可能となるように、レンズ保持部材２を空中で支持している。下側板ばね２６Ａ及び下側板ばね２６Ｂは、コイル３に電流を供給するための給電部材として機能する。そのため、下側板ばね２６Ａはコイル３の一端に電気的に接続され、下側板ばね２６Ｂはコイル３の他端に電気的に接続されている。上側板ばね１６と磁石５との間にはスペーサ部材１が配置されている。スペーサ部材１は、レンズ保持部材２がＺ１方向に移動したときにレンズ保持部材２とヨーク４とが衝突するのを防止できるように配置されている。
【００３７】
上側板ばね１６は、図１１（Ａ）に示すように、略矩形状を有し、レンズ保持部材２に固定される可動側支持部としての内側部分１６ｉと、固定側部材ＲＧに固定される固定側支持部としての外側部分１６ｅと、内側部分１６ｉと外側部分１６ｅとの間に位置する４箇所の弾性腕部１６ｇとを含む。具体的には、内側部分１６ｉは、中心を挟んで対向する２箇所に設けられている。外側部分１６ｅは、４箇所の角部分１６ｂと、４箇所の角部分１６ｂのそれぞれを繋ぐ桟部１６ｒとを有している。スペーサ部材１、ヨーク４及び磁石５は、固定側部材ＲＧとして機能する。
【００３８】
上側板ばね１６がレンズ駆動装置１０１に組み込まれた際には、図４（Ａ）に示すように、内側部分１６ｉは、レンズ保持部材２の台座部１２ｄ（図５（Ａ）参照。）に載置される。そして、内側部分１６ｉと台座部１２ｄとを接着剤ＡＤ１で固定することにより、内側部分１６ｉはレンズ保持部材２に固定される。外側部分１６ｅは、図４（Ｂ）に示すように、スペーサ部材１の上面（Ｚ１側の面）に固定される。外側部分１６ｅのスペーサ部材１への固定の詳細は後述する。
【００３９】
上側板ばね１６は、図１１（Ａ）に示すように、略左右対称に形成されている。そして、内側部分１６ｉでレンズ保持部材２に固定され、外側部分１６ｅでスペーサ部材１に固定されている。そのため、上側板ばね１６は、レンズ保持部材２をバランス良く空中で支持できる。
【００４０】
下側板ばね２６Ａ及び下側板ばね２６Ｂは、図１１（Ｂ）に示すように、それぞれの内側形状が半円形状となるように構成されている。そして、レンズ保持部材２に固定される可動側支持部としての内側部分２６ｉと、固定側部材ＲＧに固定される固定側支持部としての外側部分２６ｅと、内側部分２６ｉと外側部分２６ｅとの間に位置する弾性腕部２６ｇとを含む。
【００４１】
下側板ばね２６Ａ及び下側板ばね２６Ｂのそれぞれの内側部分２６ｉは、図１１（Ｂ）に示すように、レンズ保持部材２と係合される３つの内側接合部分２６ｃと、３つの内側接合部分２６ｃの間を繋ぐ２つの第１連結部２６ｐと、コイル３の延在部３３と対向する接続板部２６ｈとを含む。
【００４２】
下側板ばね２６Ａ及び下側板ばね２６Ｂがレンズ駆動装置１０１に組み込まれた際には、図６（Ａ）に示すレンズ保持部材２の６つの突設部２ｔのそれぞれは、図１１（Ｂ）に示す下側板ばね２６Ａ及び下側板ばね２６Ｂのそれぞれの内側接合部分２６ｃに設けられた貫通部としての円形の貫通孔に挿通されて嵌合される。貫通部は、切り欠きであってもよい。これにより、下側板ばね２６Ａ及び下側板ばね２６Ｂのそれぞれの内側部分２６ｉは、レンズ保持部材２に位置決めされ且つ固定される。下側板ばね２６Ａ及び下側板ばね２６Ｂは、例えば、レンズ保持部材２の突設部２ｔに熱かしめ又は冷間かしめを施すことで、レンズ保持部材２に固定される。
【００４３】
以下では、主に下側板ばね２６Ａとレンズ保持部材２及びコイル３との関係を説明する。但し、下側板ばね２６Ａに関する説明は、下側板ばね２６Ｂにも同様に適用される。
【００４４】
下側板ばね２６Ａの内側部分２６ｉの接続板部２６ｈは、図１２（Ａ）及び図１２（Ｂ）に示すように、レンズ駆動装置１０１が組み立てられた際には、レンズ保持部材２の突堤部８２と対向する。すなわち、接続板部２６ｈの被写体側（Ｚ１側）の面は、図１２（Ａ）に示すように、突堤部８２で形成された収容部８２ｓと対向する。そして、コイル３の延在部３３Ａの接続部３３ｃは、図１２（Ｂ）に示すように、下側板ばね２６Ａの内側部分２６ｉの被写体側の面とレンズ保持部材２のフランジ部５２の撮像素子側（Ｚ２側）の面との間を通って延びる。
【００４５】
内側部分２６ｉの接続板部２６ｈには、図１２（Ａ）に示すように、突堤部８２の開放部８２ｚと対向する位置に、両側から切り欠かれた貫通部２６ｔが設けられ、且つ、外側壁部８２ｖと対向する位置に、Ｕ字形状（半円形状）の切欠部２６ｋが設けられている。貫通部２６ｔは、底面視で、突堤部８２の内側壁部８２ｕ及び外側壁部８２ｖの端部に対応する位置に設けられ、且つ、貫通部２６ｔを構成している壁端面２６ｘがこれらの端部を覆うように設けられている。また、切欠部２６ｋは、収容部８２ｓに対応する位置に形成されている。
【００４６】
下側板ばね２６Ａがレンズ保持部材２に組み付けられた際には、図１２（Ｂ）に示すように、保持部７２Ａは、その先端が下側板ばね２６Ａの内側部分２６ｉの撮像素子側（Ｚ２側）に位置するように、内側部分２６ｉよりも下方（Ｚ２方向）に突出している。また、巻き付け部３３ｍの一部も内側部分２６ｉの撮像素子側（Ｚ２側）に位置するように保持部７２Ａに巻き付けられている。
【００４７】
下側板ばね２６Ａとコイル３の延在部３３Ａは、合成樹脂中に銀粒子等の導電性フィラーが分散された導電性接着剤ＣＡで電気的且つ機械的に接続されている。具体的には、下側板ばね２６Ａをレンズ保持部材２に組み込む前に、レンズ保持部材２の突堤部８２で囲まれた収容部８２ｓに導電性接着剤ＣＡが充填され、その後、下側板ばね２６Ａがレンズ保持部材２に装着される。そして、レンズ保持部材２の突設部２ｔが熱かしめされ、且つ、導電性接着剤ＣＡが熱硬化される。導電性接着剤ＣＡの収容部８２ｓへの充填から導電性接着剤ＣＡの熱硬化までは、保持部７２が鉛直上方に突出するようにレンズ保持部材２が逆さまにされた状態で行われる。そのため、導電性接着剤ＣＡは、流動性を有する場合であっても、所望の位置（収容部８２ｓ内の位置）に適切に保持され得る。そして、接続部３３ｃの一部は、収容部８２ｓ内に配置されているため、導電性接着剤ＣＡ内に埋設される。なお、導電性接着剤ＣＡは、熱硬化型に限らず、紫外線硬化型のものであってもよい。
【００４８】
下側板ばね２６Ａの外側部分２６ｅは、図１１（Ｂ）に示すように、ベース部材１８と係合される２つの外側接合部分２６ｄと、２つの外側接合部分２６ｄを繋ぐ第２連結部２６ｑとを含む。下側板ばね２６Ａの外側接合部分２６ｄに設けられた貫通部としての貫通孔は、ベース部材１８の上面に設けられた突設部１８ｔ（図１３（Ａ）参照。）と嵌合する。貫通部は、切り欠きであってもよい。これにより、下側板ばね２６Ａの外側部分２６ｅは、ベース部材１８に位置決めされ且つ固定される。
【００４９】
下側板ばね２６Ａ及び下側板ばね２６Ｂは、図１１（Ｂ）に示すように、略左右対称に形成されている。そして、下側板ばね２６Ａは、３つの内側接合部分２６ｃでレンズ保持部材２に接続され、２つの外側接合部分２６ｄでベース部材１８に接続されている。下側板ばね２６Ｂについても同様である。この構成により、下側板ばね２６Ａ及び下側板ばね２６Ｂは、レンズ保持部材２を光軸方向ＪＤへ移動可能な状態でバランス良く空中で支持することができる。
【００５０】
次に、固定側部材ＲＧについて説明する。固定側部材ＲＧは、上側板ばね１６を固定するスペーサ部材１、ヨーク４及び磁石５と、下側板ばね２６Ａ及び下側板ばね２６Ｂのそれぞれを固定するベース部材１８とを含む。
【００５１】
ベース部材１８は、液晶ポリマー等の合成樹脂を用いた射出成形によって作製される。本実施形態では、ベース部材１８は、図１３（Ａ）に示すように、矩形板状の外形を有する部材であり、中央に円形の開口１８ｋが形成されている。また、ベース部材１８の被写体側（Ｚ１側）の面（上面）には、上方に向けて突出する６つの突設部１８ｔが設けられている。突設部１８ｔは、下側板ばね２６Ａ及び下側板ばね２６Ｂのそれぞれにおける外側接合部分２６ｄに設けられた貫通部としての貫通孔に挿通され且つ嵌合される。貫通部は、切り欠きであってもよい。この際、突設部１８ｔは熱かしめが施されて外側接合部分２６ｄに固定される。図１３では、突設部１８ｔは、熱かしめされた後の先端が変形した状態で図示されている。突設部１８ｔは冷間かしめが施されて外側接合部分２６ｄに固定されてもよい。
【００５２】
ベース部材１８には、図１３（Ａ）に示すように、銅若しくは鉄又はそれらを主成分とする合金等の材料を含む金属板から形成された端子７がインサート成形されて埋め込まれている。端子７は、端子７Ａ及び端子７Ｂを含み、端子７Ａ及び端子７Ｂのそれぞれは、一部がベース部材１８の上面（Ｚ１側の面）に露出している。そして、互いに電気的に絶縁されている端子７Ａ及び端子７Ｂのそれぞれは、撮像素子を実装した基板（図示せず。）に電気的に接続されている。また、端子７Ａは下側板ばね２６Ａに電気的に接続され、端子７Ｂは下側板ばね２６Ｂに電気的に接続されている。更に、下側板ばね２６Ａはコイル３の一端に電気的に接続され、下側板ばね２６Ｂはコイル３の他端に電気的に接続されている。そのため、コイル３は、端子７と下側板ばね２６Ａ及び下側板ばね２６Ｂとを介して電流の供給を受けることができる。
【００５３】
ベース部材１８には、端子７と同様に、銅若しくは鉄又はそれらを主成分とする合金等の材料を含む金属板から形成された接続部材５７もインサート成形されて埋め込まれている。接続部材５７は、図２に示すように、ヨーク４の四隅の下端部のところで、一部を露出させている。ベース部材１８は、ヨーク４の側板部４Ａの内周面とベース部材１８の外周面とが組み合わさって位置決めされた後で、接続部材５７とヨーク４の四隅の下端部とが溶接されてヨーク４に固定される。ヨーク４とベース部材１８とは少なくとも部分的に接着剤で固定されてもよい。
【００５４】
次に、図１４及び図１５を参照し、スペーサ部材１と磁石５と上側板ばね１６との関係について説明する。図１４は、スペーサ部材１と上側板ばね１６との関係を示す図であり、図１４（Ａ）及び図１４（Ｂ）を含む。図１４（Ａ）は、スペーサ部材１の上面側の斜視図である。図１４（Ｂ）は、上側板ばね１６を組み付けた状態のスペーサ部材１の上面側の斜視図である。図１５は、スペーサ部材１と磁石５との関係を示す図であり、図１５（Ａ）及び図１５（Ｂ）を含む。図１５（Ａ）は、スペーサ部材１の底面側の斜視図である。図１５（Ｂ）は、磁石５を組み付けた状態のスペーサ部材１の底面側の斜視図である。
【００５５】
スペーサ部材１は、液晶ポリマー等の合成樹脂を用いた射出成形によって作製される。本実施形態では、スペーサ部材１は、図１４（Ａ）及び図１５（Ａ）に示すように、４つの辺部分１０と４つの角部分１１を含む枠形状をなしている。辺部分１０は、第１辺部分１０Ａ〜第４辺部分１０Ｄを含み、角部分１１は、第１角部分１１Ａ〜第４角部分１１Ｄを含む。また、スペーサ部材１は、載置部６０、凹部６１、支持突部６２、突設部６３、当接部６４及び突出部６５を含む。
【００５６】
載置部６０は、上側板ばね１６が載置される部分である。本実施形態では、載置部６０は、第１載置部６０Ａ〜第４載置部６０Ｄを含む。第１載置部６０Ａ〜第４載置部６０Ｄは、上側板ばね１６が載置される被写体側（Ｚ１側）の平坦面のそれぞれが面一となるように構成されている。
【００５７】
具体的には、第１載置部６０Ａは、第１角部分１１Ａから第２角部分１１Ｂまで延びるように、すなわち、第１辺部分１０Ａの全長にわたって延びるように構成されている。また、第３載置部６０Ｃは、第３角部分１１Ｃから第４角部分１１Ｄまで延びるように、すなわち、第３辺部分１０Ｃの全長にわたって延びるように構成されている。
【００５８】
一方で、第２載置部６０Ｂは、第２辺部分１０Ｂの中央部に配置されるように、すなわち、第２辺部分１０Ｂの全長ではなく一部のみにわたって延びるように構成されている。また、第４載置部６０Ｄは、第４辺部分１０Ｄの中央部に配置されるように、すなわち、第４辺部分１０Ｄの全長ではなく一部のみにわたって延びるように構成されている。
【００５９】
凹部６１は、載置部６０に載置された上側板ばね１６の弾性腕部１６ｇが撮像素子側（Ｚ２側）に撓むための空間を提供する部分である。本実施形態では、凹部６１は、第１凹部６１Ａ〜第４凹部６１Ｄを含む。
【００６０】
具体的には、第１凹部６１Ａは、第１載置部６０Ａと第２載置部６０Ｂとを隔てるように構成されている。第２凹部６１Ｂは、第２載置部６０Ｂと第３載置部６０Ｃとを隔てるように構成されている。第３凹部６１Ｃは、第３載置部６０Ｃと第４載置部６０Ｄとを隔てるように構成されている。第４凹部６１Ｄは、第４載置部６０Ｄと第１載置部６０Ａとを隔てるように構成されている。
【００６１】
この構成により、載置部６０に載置された上側板ばね１６の弾性腕部１６ｇは、レンズ保持部材２を光軸方向ＪＤの撮像素子側（Ｚ２側）に移動させるために撓んだときであっても、スペーサ部材１には当接しない。
【００６２】
支持突部６２は、ヨーク４の天井部４Ｂに支持される部分である。本実施形態では、支持突部６２は、五角柱状をなし、スペーサ部材１がヨーク４に組み付けられたときに先端面（Ｚ１側の面）がヨーク４の天井部４Ｂの撮像素子側（Ｚ２側）の面と当接するように構成されている。具体的には、支持突部６２は、第１支持突部６２Ａ〜第４支持突部６２Ｄを含む。第１支持突部６２Ａ〜第４支持突部６２Ｄは、平坦な先端面のそれぞれが面一となるように構成されている。
【００６３】
より具体的には、第１支持突部６２Ａは、第１角部分１１Ａのところで、第１載置部６０ＡからＺ１方向に突出するように構成されている。第２支持突部６２Ｂは、第２角部分１１Ｂのところで、第１載置部６０ＡからＺ１方向に突出するように構成されている。第３支持突部６２Ｃは、第３角部分１１Ｃのところで、第３載置部６０ＣからＺ１方向に突出するように構成されている。第４支持突部６２Ｄは、第４角部分１１Ｄのところで、第３載置部６０ＣからＺ１方向に突出するように構成されている。但し、支持突部６２の少なくとも一部は、載置部６０ではなく凹部６１からＺ１方向に突出するように構成されていてもよい。
【００６４】
また、支持突部６２は、上側板ばね１６を位置決めできるように構成されている。具体的には、支持突部６２は、図１１（Ａ）に示す上側板ばね１６の角部分１６ｂに形成された切り欠きＣ１とかみ合うように構成されている。なお、貫通部の一例である切り欠きＣ１は、貫通孔であってもよい。具体的には、切り欠きＣ１は、第１支持突部６２Ａ〜第４支持突部６２Ｄに対応する第１切り欠きＣ１Ａ〜第４切り欠きＣ１Ｄを含む。
【００６５】
突設部６３は、上側板ばね１６を位置決めする部分である。本実施形態では、突設部６３は、円柱状をなし、上側板ばね１６の角部分１６ｂに形成された貫通部としての円形の貫通孔Ｈ１に挿通されて嵌合されるように構成されている。貫通部は、切り欠きであってもよい。
【００６６】
具体的には、突設部６３は、第１突設部６３Ａ〜第４突設部６３Ｄを含む。第１突設部６３Ａは、第１角部分１１Ａのところで、第１支持突部６２Ａと共に、第１載置部６０ＡからＺ１方向に突出するように構成されている。第２突設部６３Ｂは、第２角部分１１Ｂのところで、第２支持突部６２Ｂと共に、第１載置部６０ＡからＺ１方向に突出するように構成されている。第３突設部６３Ｃは、第３角部分１１Ｃのところで、第３支持突部６２Ｃと共に、第３載置部６０ＣからＺ１方向に突出するように構成されている。第４突設部６３Ｄは、第４角部分１１Ｄのところで、第４支持突部６２Ｄと共に、第３載置部６０ＣからＺ１方向に突出するように構成されている。
【００６７】
この構成により、上側板ばね１６の外側部分１６ｅは、スペーサ部材１に位置決めされ且つ固定される。本実施形態では、上側板ばね１６は、角部分１６ｂに形成された貫通部としての円形の貫通孔Ｈ２に塗布される接着剤によってスペーサ部材１に固定される。この接着剤は、突設部６３にも付着するように塗布されてもよい。また、上側板ばね１６は、突設部６３に熱かしめ又は冷間かしめを施すことで、スペーサ部材１に仮留めされてもよい。或いは、上側板ばね１６は、突設部６３に熱かしめ又は冷間かしめを施すことで、スペーサ部材１に固定されてもよい。この場合、接着剤の塗布は省略されてもよい。
【００６８】
なお、貫通孔Ｈ１は、第１突設部６３Ａ〜第４突設部６３Ｄに対応する第１貫通孔Ｈ１Ａ〜第４貫通孔Ｈ１Ｄを含む。また、貫通孔Ｈ１と隣り合う貫通孔Ｈ２は、第１突設部６３Ａ〜第４突設部６３Ｄに対応する第１貫通孔Ｈ２Ａ〜第４貫通孔Ｈ２Ｄを含む。
【００６９】
本実施形態では、支持突部６２の先端面（Ｚ１側の面）は、突設部６３の先端面（Ｚ１側の面）よりもＺ１側に突出するように構成されている。そのため、突設部６３は、スペーサ部材１がヨーク４に組み付けられたときであっても、ヨーク４の天井部４Ｂには当接しない。また、スペーサ部材１に固定された上側板ばね１６は、スペーサ部材１がヨーク４に組み付けられたときであっても、ヨーク４の天井部４Ｂには当接しない。
【００７０】
当接部６４は、磁石５を当接させる部分である。本実施形態では、当接部６４は、図１５（Ａ）に示すように、第１当接部６４Ａ〜第４当接部６４Ｄを含む。磁石５は、図１５（Ｂ）に示すように、第１磁石５Ａ〜第４磁石５Ｄを含む。
【００７１】
具体的には、第１当接部６４Ａは、第１辺部分１０Ａの中央部を挟んだ２箇所に形成され、且つ、第１磁石５Ａが当接する撮像素子側（Ｚ２側）の平坦面のそれぞれが面一となるように構成されている。第２当接部６４Ｂは、第２辺部分１０Ｂの中央部を挟んだ２箇所に形成され、且つ、第２磁石５Ｂが当接する撮像素子側（Ｚ２側）の平坦面のそれぞれが面一となるように構成されている。第３当接部６４Ｃは、第３辺部分１０Ｃの中央部を挟んだ２箇所に形成され、且つ、第３磁石５Ｃが当接する撮像素子側（Ｚ２側）の平坦面のそれぞれが面一となるように構成されている。第４当接部６４Ｄは、第４辺部分１０Ｄの中央部を挟んだ２箇所に形成され、且つ、第４磁石５Ｄが当接する撮像素子側（Ｚ２側）の平坦面のそれぞれが面一となるように構成されている。
【００７２】
突出部６５は、磁石５を位置決めする部分である。本実施形態では、突出部６５は、図１５（Ａ）に示すように、略Ｌ字型の角柱状をなし、当接部６４よりもＺ２側に突出するように構成されている。突出部６５は、第１突出部６５Ａ〜第４突出部６５Ｄを含む。
【００７３】
具体的には、第１突出部６５Ａは、第１角部分１１ＡからＺ２側に突出するように構成されている。第２突出部６５Ｂは、第２角部分１１ＢからＺ２側に突出するように構成されている。第３突出部６５Ｃは、第３角部分１１ＣからＺ２側に突出するように構成されている。第４突出部６５Ｄは、第４角部分１１ＤからＺ２側に突出するように構成されている。そして、第１磁石５Ａは、第１突出部６５Ａと第２突出部６５Ｂとの間に配置され、第２磁石５Ｂは、第２突出部６５Ｂと第３突出部６５Ｃとの間に配置され、第３磁石５Ｃは、第３突出部６５Ｃと第４突出部６５Ｄとの間に配置され、第４磁石５Ｄは、第４突出部６５Ｄと第１突出部６５Ａとの間に配置されている。この構成により、磁石５は、スペーサ部材１に高精度に位置決めされ得る。
【００７４】
次に、図１６及び図１７を参照し、スペーサ部材１とヨーク４と磁石５と上側板ばね１６との関係について説明する。図１６は、図２（Ａ）、図１４（Ａ）、図１４（Ｂ）、図１５（Ａ）及び図１５（Ｂ）における線分Ｌ１を含むＸＺ平面をＹ２側から見たときの、スペーサ部材１、ヨーク４、磁石５及び上側板ばね１６の断面図である。図１７は、図１６に対応する断面図であり、スペーサ部材１、磁石５及び上側板ばね１６をヨーク４に組み付ける手順を示す。
【００７５】
図１６に示すように、ヨーク４は、天井部４Ｂで、スペーサ部材１の支持突部６２の上面（Ｚ１側の面）と接している。また、ヨーク４は、側板部４Ａの内周面で、磁石５の外周面と接している。
【００７６】
本実施形態では、上側板ばね１６は、図１７（Ａ）に示すように、スペーサ部材１がヨーク４に取り付けられる前に、スペーサ部材１に固定される。具体的には、スペーサ部材１の被写体側（Ｚ１側）が上を向いた状態で、スペーサ部材１の載置部６０に上側板ばね１６の固定側支持部である外側部分１６ｅが載置される。そして、上側板ばね１６は、図１４（Ｂ）に示す貫通孔Ｈ２に塗布される接着剤によってスペーサ部材１に固定される。図１７（Ａ）は、接着剤が塗布される位置の一例を破線円ＡＰ１で示す。
【００７７】
その後、上側板ばね１６が固定されたスペーサ部材１は、図１７（Ｂ）に示すように、上下反転させられた状態で、支持突部６２がヨーク４の天井部４Ｂと対向するように、天井部４Ｂが上を向いた状態のヨーク４の内部に挿入される。このとき、スペーサ部材１は、接着剤により、ヨーク４の側板部４Ａの内壁に固定されてもよい。図１７（Ｂ）は、接着剤が塗布される位置の一例を破線円ＡＰ２で示す。但し、この段階での接着剤の塗布は省略されてもよい。
【００７８】
その後、磁石５は、図１７（Ｃ）に示すように、スペーサ部材１が天井部４Ｂと磁石５とで挟持されるように、ヨーク４の内部に挿入される。具体的には、磁石５の被写体側（Ｚ１側）の面は、スペーサ部材１の当接部６４の撮像素子側（Ｚ２側）の面に当接させられる。このとき、磁石５は、接着剤により、ヨーク４の側板部４Ａの内壁に固定される。図１７（Ｃ）は、接着剤が塗布される位置の一例を破線円ＡＰ３で示す。
【００７９】
このようにして、スペーサ部材１は、ヨーク４の天井部４Ｂと、ヨーク４の側板部４Ａに固定された磁石５との間で挟持される。
【００８０】
その後、ヨーク４と磁石５との間で挟持され且つ上側板ばね１６が固定された状態のスペーサ部材１は、再び上下反転させられ、台座部１２ｄが上を向いた状態のレンズ保持部材２に取り付けられる。具体的には、スペーサ部材１は、上側板ばね１６の可動側支持部である内側部分１６ｉがレンズ保持部材２の台座部１２ｄと対向するように、台座部１２ｄが上を向いた状態のレンズ保持部材２に取り付けられる。このとき、レンズ保持部材２は、望ましくは、下側板ばね２６を介してベース部材１８に取り付けられている。また、図５（Ａ）に示す台座部１２ｄの窪み１２ｄｈには、内側部分１６ｉと台座部１２ｄとを固定するための接着剤が塗布されている。
【００８１】
このようにして、ヨーク４と磁石５との間で挟持されたスペーサ部材１に固定されている上側板ばね１６は、下側板ばね２６を介してベース部材１８に取り付けられているレンズ保持部材２に固定される。
【００８２】
次に、図１８を参照し、スペーサ部材１の被写体側（Ｚ１側）に載置された上側板ばね１６によってもたらされる効果について説明する。図１８は、図１４（Ｂ）に示す部分Ｓの拡大図であり、ヨーク４の側板部４Ａの断面を含む。すなわち、図１８は、図１６における線分Ｌ２を含むＸＹ平面をＺ１側から見たときの図に相当する。
【００８３】
図１８に示すように、上側板ばね１６の弾性腕部１６ｇは、スペーサ部材１の第１角部分１１Ａに載置された上側板ばね１６の角部分１６ｂから延びるように構成されている。具体的には、弾性腕部１６ｇは、光軸方向ＪＤにおいて、スペーサ部材１の凹部６１から離間して凹部６１と対向する第１部分と、スペーサ部材１と対向しない第２部分と、を含む。第１部分は、磁石５の真上の空間内に配置された部分ＬＰを含む。
【００８４】
より具体的には、弾性腕部１６ｇは、スペーサ部材１の第４辺部分１０Ｄの撮像素子側（Ｚ２側）に位置する第４磁石５Ｄの真上の空間内に配置された部分ＬＰを含む。部分ＬＰは、光軸方向ＪＤにおいて撮像素子側（Ｚ２側）に撓むことができるように、第４凹部６１Ｄの真上に位置するように構成されている。
【００８５】
弾性腕部１６ｇの形状は、通常、スペーサ部材１、レンズ保持部材２、コイル３、ヨーク４及び磁石５のそれぞれの形状及び配置によって制限される。しかしながら、上述の構成は、上側板ばね１６が磁石５と接するように配置される構成に比べ、弾性腕部１６ｇの設計自由度を高めることができる。弾性腕部１６ｇの一部を磁石５の真上の空間に配置させているためである。具体的には、上述の構成は、例えば、弾性腕部１６ｇの全長を長くすることができる。この場合、弾性腕部１６ｇの幅は、拡張されてもよい。
【００８６】
次に、図５〜図８、図１９及び図２０を参照し、レンズ保持部材２に対するコイル３の固定について説明する。図１９は、レンズ保持部材２のコイル支持部１２ｊの拡大斜視図である。具体的には、図１９は、図５（Ａ）の部分Ｔ１の拡大図である図１９（Ａ）と、図５（Ｂ）の部分Ｔ２の拡大図である図１９（Ｂ）と、を含む。図２０は、レンズ保持部材２のコイル支持部１２ｊの拡大上面図である。具体的には、図２０は、図７（Ａ）の部分Ｕ１の拡大図である図２０（Ａ）と、図７（Ｂ）の部分Ｕ２の拡大図である図２０（Ｂ）と、を含む。
【００８７】
図７（Ａ）に示すように、レンズ保持部材２の外周面を構成するコイル支持部１２ｊは、八角環状のコイル３を支持できるよう、上面視で八角形状の外形を有する。具体的には、コイル支持部１２ｊは、短壁部ＮＳ及び長壁部ＥＳを含む。短壁部ＮＳは、第１短壁部ＮＳ１〜第４短壁部ＮＳ４を含む。長壁部ＥＳは、第１長壁部ＥＳ１〜第４長壁部ＥＳ４を含む。
【００８８】
第１長壁部ＥＳ１〜第４長壁部ＥＳ４のそれぞれには、凹部ＲＰが形成されている。具体的には、第１長壁部ＥＳ１には、第１凹部ＲＰ１が形成され、第２長壁部ＥＳ２には、第２凹部ＲＰ２が形成され、第３長壁部ＥＳ３には、第３凹部ＲＰ３が形成され、第４長壁部ＥＳ４には、第４凹部ＲＰ４が形成されている。
【００８９】
凹部ＲＰは、コイル３の延在方向（巻回部１３の巻回方向）に離間した２つ一組の凹部であり、２つの凹部の間には凸部ＬＤが形成されている。具体的には、第１凹部ＲＰ１を構成する２つの凹部の間には第１凸部ＬＤ１が形成され、第２凹部ＲＰ２を構成する２つの凹部の間には第２凸部ＬＤ２が形成され、第３凹部ＲＰ３を構成する２つの凹部の間には第３凸部ＬＤ３が形成され、第４凹部ＲＰ４を構成する２つの凹部の間には第４凸部ＬＤ４が形成されている。
【００９０】
コイル３は、図７（Ｂ）に示すように、短壁部ＮＳの外周面によって支持される短辺部３Ｎと、長壁部ＥＳの外周面によって支持される長辺部３Ｅと、含む。具体的には、短辺部３Ｎは、第１短辺部３Ｎ１〜第４短辺部３Ｎ４を含み、長辺部３Ｅは、第１長辺部３Ｅ１〜第４長辺部３Ｅ４を含む。そして、第１長辺部３Ｅ１は、３つの部分に分割された第１長壁部ＥＳ１の外周面で支持され、第２長辺部３Ｅ２は、３つの部分に分割された第２長壁部ＥＳ２の外周面で支持され、第３長辺部３Ｅ３は、３つの部分に分割された第３長壁部ＥＳ３の外周面で支持され、第４長辺部３Ｅ４は、３つの部分に分割された第４長壁部ＥＳ４の外周面で支持されている。
【００９１】
以下では、主に、第４長壁部ＥＳ４と第４長辺部３Ｅ４との関係を説明する。但し、第４長壁部ＥＳ４と第４長辺部３Ｅ４に関する説明は、第１長壁部ＥＳ１と第１長辺部３Ｅ１、第２長壁部ＥＳ２と第２長辺部３Ｅ２、及び、第３長壁部ＥＳ３と第３長辺部３Ｅ３のそれぞれにも同様に適用される。
【００９２】
図１９（Ａ）及び図２０（Ａ）に示すように、第４凹部ＲＰ４を構成する２つ一組の凹部である左側凹部ＲＰ４Ｌと右側凹部ＲＰ４Ｒとの間には第４凸部ＬＤ４が形成されている。第４凸部ＬＤ４は、主に、支持面ＥＳ４Ｃ、壁面ＳＦＬ、壁面ＳＦＲ及び上面ＴＳ４Ｃを有する。
【００９３】
支持面ＥＳ４Ｃは、コイル３（第４長辺部３Ｅ４）の延在方向において、第４凸部ＬＤ４の中央部に位置し、コイル３の第４長辺部３Ｅ４の内周面を支持できるように構成されている。そのため、支持面ＥＳ４Ｃは、支持面ＥＳ４Ｌ及び支持面ＥＳ４Ｒと共に第４長壁部ＥＳ４の外周面を構成している。すなわち、支持面ＥＳ４Ｃは、支持面ＥＳ４Ｌ及び支持面ＥＳ４Ｒと共に、第４長辺部３Ｅ４の内周面を支持できるように構成されている。
【００９４】
壁面ＳＦＬは、支持面ＥＳ４ＣからＸ２側に延びるように構成されている。具体的には、壁面ＳＦＬは、コイル３の第４長辺部３Ｅ４の延在方向（Ｘ１−Ｘ２方向）における支持面ＥＳ４Ｃからの距離が大きくなるにしたがってコイル３（第４長辺部３Ｅ４）の内周面から離れるように形成され、左側凹部ＲＰ４Ｌを区切るように構成された傾斜面である。
【００９５】
壁面ＳＦＲは、支持面ＥＳ４ＣからＸ１側に延びるように構成されている。具体的には、壁面ＳＦＲは、コイル３の第４長辺部３Ｅ４の延在方向（Ｘ１−Ｘ２方向）における支持面ＥＳ４Ｃからの距離が大きくなるにしたがってコイル３（第４長辺部３Ｅ４）の内周面から離れるように形成され、右側凹部ＲＰ４Ｒを区切るように構成された傾斜面である。
【００９６】
上面ＴＳ４Ｃは、図１９（Ｂ）及び図２０（Ｂ）に示すように、コイル３の巻回部１３の上面１３ｔと共に接着剤ＡＤ２の塗布面を提供できるように構成されている。図１９（Ｂ）及び図２０（Ｂ）は、接着剤ＡＤ２が塗布される位置の一例を破線円ＡＰ４で示す。具体的には、上面ＴＳ４Ｃは、上面ＴＳ４Ｌ及び上面ＴＳ４Ｒと共に第４長壁部ＥＳ４の上面ＴＳ４を構成している。そして、上面ＴＳ４は、上面ＴＳ４Ｃ、ＴＳ４Ｌ及びＴＳ４Ｒのそれぞれとコイル３の巻回部１３の上面１３ｔとが面一となるように構成されている。但し、上面ＴＳ４は、巻回部１３の上面１３ｔの高さとは異なる高さを有するように構成されていてもよい。上面ＴＳ４Ｃには、塗布された接着剤を左側凹部ＲＰ４Ｌ及び右側凹部ＲＰ４Ｒのそれぞれに導く溝又は傾斜面等が形成されていてもよい。
【００９７】
第４凹部ＲＰ４の下端（Ｚ２側の端）は、図１９（Ａ）及び図２０（Ａ）に示すように、フランジ部５２で区切られている。また、第４凹部ＲＰ４の上端（Ｚ１側の端）は、図１９（Ｂ）及び図２０（Ｂ）に示すように、コイル３がレンズ保持部材２の周囲に配置された状態で被写体側（Ｚ１側）に開口するように構成されている。
【００９８】
第４凸部ＬＤ４の上面ＴＳ４Ｃに塗布された接着剤ＡＤ２は、図１９（Ｂ）及び図２０（Ｂ）の破線矢印で示すように流れ、第４凹部ＲＰ４の内部に入り込む。具体的には、接着剤ＡＤ２は、上面ＴＳ４Ｃと壁面ＳＦＬとの間の縁に沿って流れ、壁面ＳＦＬを伝って左側凹部ＲＰ４Ｌの内部に入り込む。また、接着剤ＡＤ２は、上面ＴＳ４Ｃと壁面ＳＦＲとの間の縁に沿って流れ、壁面ＳＦＲを伝って右側凹部ＲＰ４Ｒの内部に入り込む。また、接着剤ＡＤ２は、上面ＴＳ４Ｃと壁面ＳＦＬ及び壁面ＳＦＲのそれぞれとの間の縁に沿った流れに引き込まれるようにしてコイル３の第４長辺部３Ｅ４の内周側の上縁に沿って流れ、第４長辺部３Ｅ４の内周面を伝って左側凹部ＲＰ４Ｌ及び右側凹部ＲＰ４Ｒのそれぞれの内部に入り込む。そのため、この構成は、接着剤ＡＤ２が第４長辺部３Ｅ４の外周面を伝って外側に流れ出してしまうのを防止できる。
【００９９】
コイル３の第４長辺部３Ｅ４の内周面は、第４凹部ＲＰ４に入り込んだ接着剤ＡＤ２の硬化によって、レンズ保持部材２の第４長壁部ＥＳ４に固定される。図１９（Ａ）及び図２０（Ａ）は、第４凹部ＲＰ４の内部で硬化した接着剤ＡＤ２をドットパターン又はクロスハッチパターンで示している。
【０１００】
具体的には、硬化した接着剤ＡＤ２は、図１９（Ａ）及び図２０（Ａ）に示すように、部分ＡＤ２Ｌ、ＡＤ２Ｒ、ＡＤ２Ｃ、ＡＤ２Ｅ及びＡＤ２Ｆを含む。部分ＡＤ２Ｌは、左側凹部ＲＰ４Ｌの内部に溜まった接着剤ＡＤ２が硬化した部分である。部分ＡＤ２Ｒは、右側凹部ＲＰ４Ｒの内部に溜まった接着剤ＡＤ２が硬化した部分である。部分ＡＤ２Ｃは、第４凸部ＬＤ４の上面ＴＳ４Ｃに残った接着剤ＡＤ２が硬化した部分である。部分ＡＤ２Ｅは、第４凸部ＬＤ４の壁面ＳＦＬに付着した接着剤ＡＤ２が硬化した部分である。部分ＡＤ２Ｆは、第４凸部ＬＤ４の壁面ＳＦＲに付着した接着剤ＡＤ２が硬化した部分である。
【０１０１】
このように、左側凹部ＲＰ４Ｌ内で硬化した部分ＡＤ２Ｌは、部分ＡＤ２Ｅ、ＡＤ２Ｃ及びＡＤ２Ｆを介し、右側凹部ＲＰ４Ｒ内で硬化した部分ＡＤ２Ｒに繋がっている。すなわち、左側凹部ＲＰ４Ｌに配置された部分ＡＤ２Ｌと右側凹部ＲＰ４Ｒに配置された部分ＡＤ２Ｒは連続している。
【０１０２】
なお、図１９（Ａ）及び図２０（Ａ）では、接着剤ＡＤ２は、第４凹部ＲＰ４の全高の半分程度の高さまで溜まった状態で硬化している。しかしながら、接着剤ＡＤ２は、第４凹部ＲＰ４の全高とほぼ同じ高さまで溜まった状態で硬化するように、上面ＴＳ４Ｃに塗布されてもよい。
【０１０３】
上述のように、本発明の実施形態に係るレンズ駆動装置１０１は、カバー部材としてのヨーク４を含む固定側部材ＲＧと、ヨーク４内に位置してレンズ体を保持可能なレンズ保持部材２と、レンズ保持部材２に保持されたコイル３と、コイル３に対向する磁石５と、レンズ保持部材２を光軸方向ＪＤへ移動可能に支持する上側板ばね１６と、を備えている。上側板ばね１６は、固定側部材ＲＧに固定される固定側支持部としての外側部分１６ｅ、レンズ保持部材２に固定される可動側支持部としての内側部分１６ｉ、及び、外側部分１６ｅと内側部分１６ｉとの間に設けられた弾性腕部１６ｇを有する。ヨーク４は、側板部４Ａ及び天井部４Ｂを有する。そして、固定側部材ＲＧは、ヨーク４の天井部４Ｂに一部が当接するスペーサ部材１を含む。上側板ばね１６は、スペーサ部材１と天井部４Ｂとの間に配置され、外側部分１６ｅは、スペーサ部材１の上面側（天井部４Ｂと対向する側であるＺ１側）に固定されている。この構成により、レンズ駆動装置１０１の組み立ての際に、上側板ばね１６は、スペーサ部材１に固定された状態で取り扱われる。例えば、スペーサ部材１は、被写体側に上側板ばね１６が固定された状態で逆さまにされ、同じく逆さまに置かれたヨーク４の内部に入れられ、磁石５と共に接着固定される。そのため、レンズ駆動装置１０１は、組み立ての際に、例えば他の部材との接触等により、上側板ばね１６が塑性変形してしまうのを抑制或いは防止できる。
【０１０４】
スペーサ部材１の上面側には、載置部６０が設けられていてもよい。この場合、外側部分１６ｅは、載置部６０に載置されて固定されていてもよい。但し、この場合であっても、弾性腕部１６ｇは、スペーサ部材１と当接しないように構成される。この構成により、上側板ばね１６は、より安定的に、スペーサ部材１の上面側に固定され得る。また、上側板ばね１６は、レンズ保持部材２が光軸方向ＪＤに移動する際に、弾性腕部１６ｇの弾性変形がスペーサ部材１によって妨げられてしまうのを防止できる。
【０１０５】
スペーサ部材１には、外側部分１６ｅに形成された貫通部としての貫通孔Ｈ１に挿通される突設部６３が設けられていてもよい。この構成により、上側板ばね１６は、より高い位置決め精度で、スペーサ部材１の上面側に固定され得る。また、突設部６３の先端に熱かしめ又は冷間かしめが施される場合、スペーサ部材１は、接着剤によらずに上側板ばね１６を固定できるため、上側板ばね１６がスペーサ部材１から外れてしまうのを防止できる。
【０１０６】
外側部分１６ｅには、例えば図１１（Ａ）に示すように、貫通部としての貫通孔Ｈ１に隣り合う別の貫通部としての貫通孔Ｈ２が形成されていてもよい。この場合、貫通孔Ｈ２は、外側部分１６ｅをスペーサ部材１に固定するための接着剤が塗布されるように構成されていてもよい。なお、この接着剤は、突設部６３に付着するように塗布されてもよい。スペーサ部材１と上側板ばね１６との間の接着性を高めるためである。また、貫通孔Ｈ１と貫通孔Ｈ２とは繋がっていてもよい。この構成により、上側板ばね１６は、より確実に、スペーサ部材１の上面側に固定され得る。
【０１０７】
スペーサ部材１には、先端面が突設部６３よりも高い位置に存在する支持突部６２が設けられていてもよい。この場合、支持突部６２は、ヨーク４の天井部４Ｂと当接するように構成されていてもよい。この構成により、スペーサ部材１は、より高い位置決め精度で、ヨーク４に固定され得る。例えば、スペーサ部材１は、載置部６０の平坦面がヨーク４の天井部４Ｂの表面と平行になるように、ヨーク４に固定され得る。接着剤が付着する突設部６３でなく、接着剤が付着しない支持突部６２によって、ヨーク４の天井部４Ｂに対する位置決めが行われるためである。
【０１０８】
磁石５は、スペーサ部材１と接触してスペーサ部材１の下側（撮像素子側）に配置されるとともに、接着剤によってヨーク４の側板部４Ａに固定されていてもよい。この構成により、磁石５は、ヨーク４の天井部４Ｂに対する上側板ばね１６の位置（高さ）を安定させることができる。上側板ばね１６が固定されたスペーサ部材１は、天井部４Ｂと磁石５との間に挟持されるためである。
【０１０９】
上側板ばね１６を構成する弾性腕部１６ｇの少なくとも一部は、光軸方向ＪＤにおいて、間隔を空けて磁石５と重なるように配置されていてもよい。すなわち、弾性腕部１６ｇの少なくとも一部は、スペーサ部材１における載置部６０よりも低い部分（撮像素子側に窪んだ部分）である凹部６１を挟んで磁石５と対向するように配置されていてもよい。この構成は、上側板ばね１６が磁石５に接するように配置される構成に比べ、例えば弾性腕部１６ｇの全長を長くできる等、弾性腕部１６ｇの設計自由度を高めることができる。
【０１１０】
ヨーク４は、望ましくは、平面視において矩形状に形成されている。そして、スペーサ部材１は、望ましくは、枠形状をなしているとともに、角部分１１には下方（撮像素子側）に突出する突出部６５が形成されている。磁石５は、望ましくは、板状であり、２つの突出部６５の間に配置されている。この構成により、スペーサ部材１の突出部６５は、板状をなした磁石５の位置決め精度を高めることができる。
【０１１１】
また、本発明の実施形態に係るレンズ駆動装置１０１の製造方法は、上側板ばね１６の外側部分１６ｅをスペーサ部材１に固定する固定工程と、上側板ばね１６がヨーク４の天井部４Ｂと対向するように、上側板ばね１６が固定された状態のスペーサ部材１をヨーク４の内部に挿入する挿入工程と、磁石５をスペーサ部材１の下側（撮像素子側、すなわち、上側板ばね１６の外側部分１６ｅが配置される側の反対側）に挿入してスペーサ部材１を天井部４Ｂと磁石５とで挟持する挟持工程と、磁石５とヨーク４の側板部４Ａとに付着するように接着剤を塗布して、磁石５をヨーク４に接着固定する接着工程と、を含む。この製造方法では、上側板ばね１６は、スペーサ部材１に固定された状態で取り扱われる。そのため、この製造方法は、レンズ駆動装置１０１の組み立ての際に、例えば他の部材との接触等により、上側板ばね１６が塑性変形してしまうのを抑制或いは防止できる。
【０１１２】
上述の製造方法において、固定工程には、スペーサ部材１に形成された突設部６３を、上側板ばね１６の外側部分１６ｅに形成された貫通孔Ｈ１に挿通し、突設部６３に接着剤を塗布する工程が含まれていてもよい。この製造方法では、上側板ばね１６は、突設部６３によって位置決めされた状態で、接着剤等によってスペーサ部材１に固定される。そのため、この製造方法は、スペーサ部材１に対する上側板ばね１６の固定をより確実なものとすることができる。
【０１１３】
上述の製造方法では、挿入工程と挟持工程との間に、スペーサ部材１とヨーク４との間に接着剤を介在させる工程が含まれていてもよい。この製造方法では、スペーサ部材１とヨーク４との間に配置される接着剤と、磁石５とヨーク４との間に配置される接着剤とが別々のタイミングで塗布される。そのため、この製造方法は、ヨーク４に対するスペーサ部材１の固定をより確実なものとすることができる。但し、スペーサ部材１とヨーク４との間に配置される接着剤の加熱等による硬化は、磁石５とヨーク４との間に配置される接着剤と共に接着工程で纏めて行われてもよく、接着工程とは別のタイミングで行われてもよい。
【０１１４】
また、本発明の実施形態に係るレンズ駆動装置１０１は、レンズ体を保持可能なレンズ保持部材２と、レンズ保持部材２に固定されたコイル３と、コイル３に対向する磁石５と、レンズ保持部材２を光軸方向ＪＤへ移動可能に支持する支持部材としての板ばね６と、を備えている。そして、レンズ保持部材２には、コイル３に対向する外周面にコイル３から離れる方向へ窪んだ２つの凹部ＲＰが離間して形成されており、２つの凹部ＲＰに配置された接着剤ＡＤ２によってコイル３がレンズ保持部材２に固定されている。この構成により、レンズ駆動装置１０１は、凹部が１つしかない構成に比べ、接着剤ＡＤ２が付着するコイル３の内周面の面積を大きくすることができ、レンズ保持部材２とコイル３との間の接着性を高めることができる。
【０１１５】
レンズ保持部材２には、２つの凹部ＲＰの間に、コイル３を支持可能な凸部ＬＤが設けられていてもよい。この構成により、凸部ＬＤは、コイル３の巻回部１３が内側に凹んでしまうのを防止できる。
【０１１６】
レンズ保持部材２の外周面は、複数の支持面で構成されていてもよい。この場合、凹部ＲＰは、複数の支持面の少なくとも１つに２つずつ形成されていてもよい。例えば、レンズ保持部材２の外周面は、図７（Ａ）に示すように、４つの支持面、すなわち、第１長壁部ＥＳ１〜第４長壁部ＥＳ４のそれぞれの外周面を含んでいてもよい。この場合、第１長壁部ＥＳ１の外周面に２つ一組の第１凹部ＲＰ１が形成され、第２長壁部ＥＳ２の外周面に２つ一組の第２凹部ＲＰ２が形成され、第３長壁部ＥＳ３の外周面に２つ一組の第３凹部ＲＰ３が形成され、第４長壁部ＥＳ４の外周面に２つ一組の第４凹部ＲＰ４が形成されていてもよい。
【０１１７】
図７（Ａ）及び図７（Ｂ）に示す例では、コイル３の巻回部１３の内周面は、４つの平坦な部分を有する。４つの平坦な部分は、第１長辺部３Ｅ１の内周面、第２長辺部３Ｅ２の内周面、第３長辺部３Ｅ３の内周面、及び、第４長辺部３Ｅ４の内周面である。そして、２つ一組の第１凹部ＲＰ１は、第１長辺部３Ｅ１の内周面に対向するように配置され、２つ一組の第２凹部ＲＰ２は、第２長辺部３Ｅ２の内周面に対向するように配置され、２つ一組の第３凹部ＲＰ３は、第３長辺部３Ｅ３の内周面に対向するように配置され、２つ一組の第４凹部ＲＰ４は、第４長辺部３Ｅ４の内周面に対向するように配置されている。また、２つ一組の第１凹部ＲＰ１は、第１凸部ＬＤ１を挟んで隣り合うように配置され、２つ一組の第２凹部ＲＰ２は、第２凸部ＬＤ２を挟んで隣り合うように配置され、２つ一組の第３凹部ＲＰ３は、第３凸部ＬＤ３を挟んで隣り合うように配置され、２つ一組の第４凹部ＲＰ４は、第４凸部ＬＤ４を挟んで隣り合うように配置されている。
【０１１８】
複数の支持面のうちの１つに形成されている２つの凹部に配置された接着剤は連続するように構成されていてもよい。例えば、図１９（Ａ）に示すように、第４長壁部ＥＳ４に形成されている左側凹部ＲＰ４Ｌ及び右側凹部ＲＰ４Ｒのそれぞれに配置された接着剤ＡＤ２は繋がっていてもよい。すなわち、左側凹部ＲＰ４Ｌ及び右側凹部ＲＰ４Ｒのそれぞれの内部で硬化した接着剤ＡＤ２は、第４凸部ＬＤ４の上面ＴＳ４Ｃの一箇所に塗布され且つ左側凹部ＲＰ４Ｌ及び右側凹部ＲＰ４Ｒのそれぞれに流れ込んだ接着剤ＡＤ２に由来する。この構成により、接着剤ＡＤ２は、２つ一組の凹部ＲＰの間にある凸部ＬＤの上面に塗布されると、２つ一組の凹部ＲＰのそれぞれに流れ込むことができる。そのため、この構成は、レンズ駆動装置１０１の組み立てを更に容易にすることができる。
【０１１９】
凸部ＬＤは、望ましくは、中央にある支持面の両側に位置し、コイル３の内周面に沿って、コイル３の内周面から離れる方向に延びる壁面を有する。例えば、図１９（Ａ）に示すように、第４凸部ＬＤ４は、支持面ＥＳ４Ｃの両側に位置し、コイル３（第４長辺部３Ｅ４）の延在方向において支持面ＥＳ４Ｃとの距離が大きくなるにしたがって、コイル３の巻回部１３を構成する第４長辺部３Ｅ４の内周面から離れる方向に延びる壁面ＳＦＬ及びＳＦＲを有する。第４凸部ＬＤ４の上面ＴＳ４Ｃに塗布された接着剤ＡＤ２は、上面ＴＳ４Ｃと壁面ＳＦＬとの間の縁に沿って流れ、左側凹部ＲＰ４Ｌの内部に入り込み、且つ、上面ＴＳ４Ｃと壁面ＳＦＲとの間の縁に沿って流れ、右側凹部ＲＰ４Ｒの内部に入り込む。この構成により、凸部ＬＤは、接着剤ＡＤ２が２つ一組の凹部ＲＰに流れ込むのを促進できる。
【０１２０】
レンズ保持部材２は、望ましくは、光軸方向ＪＤに沿って貫通されるように形成された筒状部１２と、筒状部１２の端部に形成されたフランジ部５２とを含む。そして、凹部ＲＰの下端（撮像素子側の端）はフランジ部５２で区切られている。この構成により、コイル３が取り付けられたレンズ保持部材２は、接着剤ＡＤ２が凹部ＲＰから外部に流れ出すのを防止できる。
【０１２１】
また、本発明の実施形態に係るレンズ駆動装置１０１の製造方法は、２つの凹部ＲＰの間に形成されたコイル３を支持可能な支持面の上部近傍に接着剤ＡＤ２を塗布して接着剤ＡＤ２を２つの凹部ＲＰ内に入り込ませる工程と、接着剤ＡＤ２を硬化することでコイル３をレンズ保持部材２に固定する工程と、を有する。具体的には、レンズ駆動装置１０１の製造方法は、例えば図１９（Ａ）及び図１９（Ｂ）に示すように、左側凹部ＲＰ４Ｌと右側凹部ＲＰ４Ｒとの間に形成された第４凸部ＬＤ４の支持面ＥＳ４Ｃの上部近傍に接着剤ＡＤ２を塗布して接着剤ＡＤ２を左側凹部ＲＰ４Ｌ及び右側凹部ＲＰ４Ｒのそれぞれの内部に入り込ませる工程を有する。この製造方法では、接着剤ＡＤ２は、２つ一組の凹部ＲＰの間にある凸部ＬＤの上面に塗布されると、２つ一組の凹部ＲＰのそれぞれに流れ込むことができる。そのため、この製造方法は、レンズ駆動装置１０１の組み立てを更に容易にすることができる。
【０１２２】
以上、本発明の好ましい実施形態について詳説した。しかしながら、本発明は、上述した実施形態に制限されることはない。上述した実施形態は、本発明の範囲を逸脱することなしに、種々の変形及び置換が適用され得る。また、上述の実施形態を参照して説明された特徴のそれぞれは、技術的に矛盾しない限り、適宜に組み合わされてもよい。
【０１２３】
例えば、上記実施形態では、保持部７２がレンズ保持部材２（フランジ部５２）の一端部から光軸方向ＪＤに突出する突出部から構成されているが、本発明は、この構成に限定されない。突出部としての保持部７２は、例えば、光軸方向ＪＤに垂直な方向、又は、光軸方向ＪＤに対して傾斜した方向等、光軸方向ＪＤとは異なる方向に突出していてもよい。
【０１２４】
また、上記実施形態では、フランジ部５２には、コイル３の延在部３３を通す切欠部５２ｋが２つ設けられているが、コイル３の巻回部１３を保持可能であれば、３つ以上の切欠部が設けられていてもよい。
【０１２５】
また、上記実施形態では、ヨーク４とベース部材１８とで構成される筐体は、レンズ保持部材２の全体を収容している。但し、レンズ保持部材２の一部（例えば上部）は、筐体（ヨーク４）から外部に露出していてもよい。
【０１２６】
また、上記実施形態では、２つ一組の凹部ＲＰは、４つの支持面、すなわち、第１長壁部ＥＳ１〜第４長壁部ＥＳ４のそれぞれの外周面のそれぞれに形成されている。しかしながら、２つ一組の凹部ＲＰは、４つの支持面のうちの１つ、２つ又は３つに形成されていてもよい。
【符号の説明】
【０１２７】
１・・・スペーサ部材  ２・・・レンズ保持部材  ２ｔ・・・突設部  ３・・・コイル  ３Ｅ・・・長辺部  ３Ｎ・・・短辺部  ４・・・ヨーク  ４Ａ・・・側板部  ４Ｂ・・・天井部  ４ｓ・・・収納部  ５・・・磁石  ６・・・板ばね  ７、７Ａ、７Ｂ・・・端子  １０・・・辺部分  １１・・・角部分  １２・・・筒状部  １２ｄ・・・台座部  １２ｄｈ・・・窪み  １２ｊ・・・コイル支持部  １３・・・巻回部  １３ｔ・・・上面  １６・・・上側板ばね  １６ｂ・・・角部分  １６ｅ・・・外側部分  １６ｇ・・・弾性腕部  １６ｉ・・・内側部分  １６ｒ・・・桟部  １８・・・ベース部材  １８ｋ・・・開口  １８ｔ・・・突設部  ２６、２６Ａ、２６Ｂ・・・下側板ばね  ２６ｃ・・・内側接合部分  ２６ｄ・・・外側接合部分  ２６ｅ・・・外側部分  ２６ｇ・・・弾性腕部  ２６ｈ・・・接続板部  ２６ｉ・・・内側部分  ２６ｋ・・・切欠部  ２６ｐ・・・第１連結部  ２６ｑ・・・第２連結部  ２６ｔ・・・貫通部  ２６ｘ・・・壁端面  ３３、３３Ａ、３３Ｂ・・・延在部  ３３ｃ・・・接続部  ３３ｋ・・・挿通部  ３３ｍ・・・巻き付け部  ５２・・・フランジ部  ５２ｋ・・・切欠部  ５７・・・接続部材  ６０・・・載置部  ６１・・・凹部  ６２・・・支持突部  ６３・・・突設部  ６４・・・当接部  ６５・・・突出部  ７２、７２Ａ、７２Ｂ・・・保持部  ８２・・・突堤部  ８２ｓ・・・収容部  ８２ｕ・・・内側壁部  ８２ｖ・・・外側壁部  ８２ｗ・・・側壁部  ８２ｚ・・・開放部  １０１・・・レンズ駆動装置  ＡＤ１、ＡＤ２・・・接着剤  Ｃ１・・・切り欠き  ＣＡ・・・導電性接着剤  ＥＳ・・・長壁部  Ｈ１、Ｈ２・・・貫通孔  ＪＤ・・・光軸方向  ＬＤ・・・凸部  ＭＫ・・・駆動機構  ＮＳ・・・短壁部  ＲＧ・・・固定側部材  ＲＰ・・・凹部
【図１】
2020046538.tif 000003
【図２】
2020046538.tif 000004
【図３】
2020046538.tif 000005
【図４】
2020046538.tif 000006
【図５】
2020046538.tif 000007
【図６】
2020046538.tif 000008
【図７】
2020046538.tif 000009
【図８】
2020046538.tif 000010
【図９】
2020046538.tif 000011
【図１０】
2020046538.tif 000012
【図１１】
2020046538.tif 000013
【図１２】
2020046538.tif 000014
【図１３】
2020046538.tif 000015
【図１４】
2020046538.tif 000016
【図１５】
2020046538.tif 000017
【図１６】
2020046538.tif 000018
【図１７】
2020046538.tif 000019
【図１８】
2020046538.tif 000020
【図１９】
2020046538.tif 000021
【図２０】
2020046538.tif 000022